(57)【要約】【課題】照明カバーとシートとの係合状態を良好に維持しつつ照明カバーを成形するための型の耐久性を高めることができる照明カバーを提供すること。【解決手段】取付部と、断面円弧状の本体部と、該本体部の外側表面に所定距離離れてそれぞれの開口部が対向して配置される第１係止溝及び第２係止溝と、を有する照明カバーであって、前記第１係止溝及び前記第２係止溝に両端部を係止することにより前記本体部の外側表面に沿って取り付けられる弾性変形可能なシートを備え、前記第１係止溝及び前記第２係止溝は、前記本体部の外側表面と該外側表面に平行な張出突起とから形成されるとともに、前記張出突起に対向する前記本体部の外側表面側を窪ませ前記第１係止溝及び前記第２係止溝の厚みを広げてなる照明カバー。【選択図】図２
0003119146.tif 000002
【実用新案登録請求の範囲】
【請求項１】
取付部と、断面円弧状の本体部と、該本体部の外側表面に所定距離離れてそれぞれの開口部が対向して配置される第１係止溝及び第２係止溝と、を有する照明カバーであって、前記第１係止溝及び前記第２係止溝に両端部を係止することにより前記本体部の外側表面に沿って取り付けられる弾性変形可能なシートを備え、前記第１係止溝及び前記第２係止溝は、前記本体部の外側表面と該外側表面に平行な張出突起とから形成されるとともに、前記張出突起に対向する前記本体部の外側表面側を窪ませ前記第１係止溝及び前記第２係止溝の厚みを広げてなることを特徴とする照明カバー。
【考案の詳細な説明】
【技術分野】
【０００１】
本願考案は、照明カバーに関し、特に照明カバーの表面に図及び商品名等を記載したシートを取りつけることができる照明カバーに関するものである。
【背景技術】
【０００２】
一般に、商品を陳列する場合、前端に照明器具を取りつけた台を複数段に積み重ねた陳列台が用いられ、その商品の陳列は、複数段に積み重ねた各陳列台に複数の商品を並べて展示し、更に各陳列台の前端に取りつけた照明器具のカバーの表面に図及び商品名等を記載したシートを取りつけ、各陳列台に展示した商品名等を分かり易く見る人に表示するとともに、各陳列台に配置した商品を明るく照明する形態で行われている。
【０００３】
このようなものとして図７、図８のものが知られている。照明器具は、陳列台の棚板１の前端にベースフレーム２を介して取りつけられる。該ベースフレーム２の中間部には支持脚５を介して裏面ボード６が垂直に取りつけられ、また、ベースフレーム２の先端には垂直壁２ａ及び垂直壁２ａの後方に若干の隙間を設けて係止爪７が立設される。
【０００４】
ベースフレーム２には細長い蛍光管４が棚板１の長辺に沿って配置されるとともに、該蛍光管４を覆って照明カバー３が取りつけられる。照明カバー３は前面パネル３ａ及び後面パネル３ｂからなる矩形状の透明の樹脂製部材であり、その長辺側の一端部を裏面ボード６に形成される係止溝８に係止し、長辺側の他端部をベースフレーム２先端の垂直壁２ａと係止爪７との間に形成される隙間に係止する形態で取りつけられる。
【０００５】
そして図７に示すように前面パネル３ａまたは後面パネル３ｂには商品名及び図等が記載されており、各陳列台に展示した商品名等を分かり易く表示するとともに、各陳列台に配置した商品を明るく照明する（例えば、特許文献１参照）。
【０００６】
ところで、このような照明器具は、裏面ボード６及び係止爪７等の部品を要し、係止溝８および垂直壁２ａ及び係止爪７からなる取り付け隙間を形成する必要があり、製造コストが高騰するという問題を有していた。
【０００７】
このような欠点をなくすものとして、裏面ボード６、係止爪７及び照明カバー３を樹脂により一体形成するものが提案されている。このものを図５に示す。この照明器具のカバー１０は、棚板１１等に取付具１２を介して取り付けるための取付部１３と、取付具１２に取り付けられる蛍光管１７を覆う本体部１４と、商品名及び図等が記載される矩形状のシート１８を着脱自在に取り付け可能な第１係止部１５及び第２係止部１６とを有し、第１係止部１５は第１張出突起１５ａにより第１係止溝１５ｂが形成され、第２係止部１６は第２張出突起１６ａにより第２係止溝１６ｂが形成されるもので、陳列する商品に応じた商品名及び図等が記載される矩形状のシート１８を必要に応じてかけ替えることにより商品の表示並びに商品の照明を行うことができる等利便性の優れたものである。
【０００８】
ところで、図５に示すものは、弾性変形可能なシート１８を本体部１４の外側表面に沿って変形させ、その長辺側の上端部を第１係止溝１５ａに係合し、長辺側の下端部を第２係止溝１６ａに係合することにより取り付けるが、両係止溝での係合状態を良好にするため、例えば、０．３ｍｍの厚さのシート１８を用いる場合には、シート１８の係合状態を良好に維持するために第１係止溝１５ａ及び第２係止溝１６ａの厚さは０．５ｍｍにするというように、第１係止溝１５ａ及び第２係止溝１６ａの厚さは薄いものが用いられている。
【０００９】
第１係止溝１５ａ及び第２係止溝１６ａの厚さを薄くすることにより、第１係止溝１５ａ及び第２係止溝１６ａとの係合は、良好にはなる。しかしながら、図６に型領域として示すように、第１張出突起１５ａと本体部１４の外側表面とにより形成される第１係止溝１５ｂの幅ｔと厚みｈとからなる細長い矩形形状は、そのまま照明カバーを樹脂成形する場合の型の一部の形状になる。即ち、その部分の型の形状は非常に薄い厚みのものとなり、型抜きをする場合その箇所に大きな負担がかかり、例えば数回の使用でその箇所の型部分が破損し、繰り返して型を使用することができなくなるという問題が生じる。
【特許文献１】登録実用新案第３００９１３４号
【考案の開示】
【考案が解決しようとする課題】
【００１０】
本願考案の目的は、上記の問題を解決することであり、照明カバーとシートとの係合状態を良好に維持しつつ照明カバーを成形するための型の耐久性を高めることができる照明カバーを提供することにある。
【課題を解決するための手段】
【００１１】
上記目的を達成するため、本願考案は以下の構成を採用する。
【００１２】
本願考案は、取付部と、断面円弧状の本体部と、該本体部の外側表面に所定距離離れてそれぞれの開口部が対向して配置される第１係止溝及び第２係止溝と、を有する照明カバーであって、前記第１係止溝及び前記第２係止溝に両端部を係止することにより前記本体部の外側表面に沿って取り付けられる弾性変形可能なシートを備え、前記第１係止溝及び前記第２係止溝は、前記本体部の外側表面と該外側表面に平行な張出突起とから形成されるとともに、前記張出突起に対向する前記本体部の外側表面側を窪ませ前記第１係止溝及び前記第２係止溝の厚みを広げてなる構成。
【００１３】
そしてこのような構成により、シートの端部を係止する係止溝の厚みを照明カバーとシートとの係合状態を従来通り良好に維持しつつ厚くすることができ、係止溝を形成する型の厚みが厚くなり、係止溝を形成する型の耐久性が向上する。
【考案の効果】
【００１４】
第１係止溝及び第２係止溝を、照明カバーの本体部の円弧状表面と該円弧状表面に沿って形成される張出突起とで形成するとともに、張出突起に対向する本体部の円弧状表面側に窪ませることにより第１係止溝及び第２係止溝の厚みを大きくすることができる。その結果、係止溝を形成する型の厚みを厚くすることができるとともに、型の耐久性を向上することができる。
【実施例】
【００１５】
以下図面を参照して本願考案の実施例について説明をする。図１に照明カバーの断面図を示し、図２に棚板に照明カバー及びシート等を取り付けた断面図を示し、図３に照明カバーの係止部の拡大断面図を示し、図４に照明カバーの他の係止部の拡大断面図を示す。
【００１６】
照明カバー３０は、陳列台の棚板３１の前端に取付具３２を介して取りつけられる。取付具３２は樹脂製の部材であり、カバー取付部３３、ランプホルダー取付部３４、棚板取付部３５及び安定器取付部３６が形成される。そして、カバー取付部３３には、照明カバー３０が取り付けられ、ランプホルダー取付部３４には、図７に示すものと同様な蛍光管３７を狭持するランプホルダー３７ａが取り付けられ、棚板取付部３５には、棚板３１の前端部が嵌合され、安定器取付部３６には、安定器３６ａが取り付けられる。
【００１７】
照明カバー３０は、取付部３８、本体部３９、第１係止部４０及び第２係止部４１とを有する乳白色の樹脂製部材であり、全体は図７及び図８に示すものと同様に平面視矩形状で断面略円弧状であり一体成形される。例えば、全体の厚みｍは約１．５ｍｍである。
【００１８】
取付部３８は、照明カバー３０の上端部に形成される部分であり、取付具３２のカバー取付部３３に嵌合される取付溝４２を有し、取付溝４２にカバー取付部３３を圧入することにより取り付けられる。
【００１９】
本体部３９は、蛍光管３７を包囲する断面円弧状の部分であり、蛍光管３７の光を前方並びに下方へ透過する。なお、図に示すものは蛍光管３７の下方の一部しか覆っていないが必要に応じその下方全面を覆うような形状でもよい。
【００２０】
第１係止部４０及び第２係止部４１は、本体部３９の外側表面の上端部近傍及び下端部近傍に形成される部分であり、第１係止部４０には、第１張出突起４０ａが形成されるとともに、第１張出突起４０ａに対向する本体部３９の外側表面はほぼ水平な第１水平部４０ｂとされ、第１張出突起４０ａと第１水平部４０ｂとの間に第１開口部４０ｃを有するほぼ平行な第１係止溝４０ｄが形成され、また、第２係止部４１には、第２張出突起４１ａが形成されるとともに、第２張出突起４１ａに対向する本体部３９の外側表面はほぼ水平な第２水平部４１ｂとされ、第２張出突起４１ａと第２水平部４１ｂとの間に第２開口部４１ｃを有するほぼ平行な第２係止溝４１ｄが形成される。そして、第１開口部４０ｃと第２開口部４１ｃとは本体部３９の外側の円弧状表面に所定距離離れて対向する。
【００２１】
符号４５は樹脂製のシートであり、該シート４５は図７のパネル３ａとほぼ同様な矩形状からなる弾性変形可能な部材であり、その表面には商品名及び図等が記載され、その長辺端部の上端部４５ａ及び下端部４５ｂを第１係止溝４０ｄ及び第２係止溝４１ｄに係合することにより本体部３９の外側表面に沿って取り付けられる。なお、シート４５の厚みｎは例えば約０．３ｍｍである。
【００２２】
その取り付けは例えば次のように行われる。まず、シート４５の長辺側の一方である下端部４５ｂを第２係止溝４１ｄに係合する。その後、シート４５の長辺側の他方である上端部４５ａを下方に押圧し、全体を円弧状に変形させ、上端部４５ａを第１係止溝４０ｄ内に押し込む。すると、シート４５は元の平坦な形状に戻ろうとするが、上端部４５ａは第１係止溝４０ｄの上面に係止され、下端部４５ｂは第２係止溝４１ｄの上面に係止されるとともに、それ以外の箇所は本体部３９の外側表面に当接するため、シート４５は本体部３９の外側表面に沿う円弧状の形で照明カバー３０の外側表面に取り付けられる。
【００２３】
従来の第１係止溝１５ｂ及び第２係止溝１６ｂは、図６に示すように幅ｔが約３．５ｍｍ、厚みｈが約０．５ｍｍのものであり、このようなものでは溝部分の型の厚みは約０．５ｍｍと非常に薄く耐久性の乏しいものであったところ、本願考案は、図３に示すように、第１張出突起４０ａ或いは第２張出突起４１ａに対向する第１水平部４０ｂ或いは第２水平部４１ｂを所定長さ（ｋ）だけ下方に延設するように窪ませ窪み５０を設け、溝全体を幅ｔ×厚みＨ（ｈ＋ｋ）の大きさにするものである。
【００２４】
溝をこのような大きさにすることにより、溝部分の型の厚みを従来のｈよりＨに大きくすることができるため、型の耐久性が向上する。そして、窪み５０を第１水平部４０ｂ或いは第２水平部４１ｂ側に設けることにより、シート４５の係止力を従来通り良好に維持することができる。即ち、窪み５０を第１張出突起４０ａ或いは第２張出突起４１ａ側に設けるとシート４５が窪み５０の厚みに相当する分だけ元の形状に戻るためそれだけシート４５と第１係止溝１５ｂ或いは第２係止溝１６ｂとの係止力が低下することになる。
【００２５】
図４は、第１係止溝１５ｂ及び第２係止溝１６ｂの窪み５０の変形例であり、窪み５０を水平方向に延設し、第１開口部４０ｃ及び第２開口部４１ｃをより大きくするものである。このような形状にすることにより溝部分の型の根本部をより大きくすることができるため、溝部分の型の耐久性をより向上することができる。
【００２６】
本願考案は、第１係止溝１５ｂ及び第２係止溝１６ｂの厚みを単に広げるのではなく、第１水平部４０ｂ或いは第２水平部４１ｂを本体部方向に窪ませることを特徴とするものであり、そのような構成により、シート４５の係止力を従来通りに維持しつつ、型の耐久性を向上することができるという作用効果を同時に奏することができるものである。
【００２７】
本願考案は、上記実施例の構成に限定されるものではなく、考案の要旨を逸脱しない範囲において適宜設計変更可能であることは勿論である。
【図面の簡単な説明】
【００２８】
【図１】本願考案の照明カバーの断面図
【図２】本願考案の照明カバー等を棚板に取り付けた状態を示す断面図
【図３】本願考案の照明カバーの係止部の拡大断面図
【図４】本願考案の照明カバーの他の係止部の拡大断面図
【図５】従来の照明カバー等を棚板に取り付けた状態を示す断面図
【図６】従来の照明カバーの係止部の拡大断面図
【図７】従来の照明カバー等を棚板に取り付けた状態を示す斜視図
【図８】従来の照明カバー等を棚板に取り付けた状態を示す断面図
【符号の説明】
【００２９】
３０…照明カバー
３１…棚板
３２…取付具
３３…カバー取付部
３４…ランプホルダー取付部
３５…棚板取付部
３６…安定器取付部
３６ａ…安定器
３７…蛍光管
３７ａ…ランプホルダー
３８…取付部
３９…本体部
４０…第１係止部
４０ａ…第１張出突起
４０ｂ…第１水平部
４０ｃ…第１開口部
４０ｄ…第１係止溝
４１…第２係止部
４１ａ…第２張出突起
４１ｂ…第２水平部
４１ｃ…第２開口部
４１ｄ…第２係止溝
４２…取付溝
４５…シート
４５ａ…上端部
４５ｂ…下端部
５０…窪み
【図１】
0003119146.tif 000003
【図２】
0003119146.tif 000004
【図３】
0003119146.tif 000005
【図４】
0003119146.tif 000006
【図５】
0003119146.tif 000007
【図６】
0003119146.tif 000008
【図７】
0003119146.tif 000009
【図８】
0003119146.tif 000010